(57)【要約】【課題】魚捕獲器の骨組みにおける摩耗や腐食の発生部位に摩耗や腐食を防ぐ保護部材を部分的に施し、耐久性の大幅な向上を図ることができる折り畳み式の魚捕獲器を提供する。【解決手段】金属線材を用いたベース枠２２の上面側に複数の骨子２３乃至２５を起伏回動可能となるよう枢着して骨組みを形成し、前記ベース枠２２に底網体２７を張設すると共に、ベース枠２２と一端側に位置する骨子２３の間及び各骨子２３乃至２５間の周囲に沿って網体２８を、各骨子２３乃至２５を所定角度の配置にした状態でベース枠２２の上部を覆うことができるように張設し、この網体２８の適所に筒状の魚進入路２９を設け、前記ベース枠２２に、ベース枠２２上に倒した骨子２５を止めるための係止フック３０を取付けた折り畳み式の魚捕獲器２１において、前記ベース枠２２の各骨子２３乃至２５を枢着した両側の部位と、前記ベース枠２２と骨子２５における係止フック３０の取り付け部分及びこの係止フック３０を係止する部位に、これらの部位の摩耗と腐食を防ぐ保護部材３５を取付ける。【選択図】図３
2005323564.tif 000002
【特許請求の範囲】
【請求項１】
金属線材を用いたベース枠の上面側に、同じく金属線材を用いて略Ｕ字状に形成された複数の骨子を起伏回動可能となるよう枢着して骨組みを形成し、前記ベース枠に底網体を張設すると共に、ベース枠と一端側に位置する骨子の間及び各骨子間の周囲に沿って網体を、各骨子を所定角度の配置にした状態でベース枠の上部を覆うことができるように張設し、この網体の適所に筒状の魚進入路を設け、前記ベース枠と他端側に位置する骨子の一方に、ベース枠上に倒した骨子を止めるための係止フックを取付けた折り畳み式の魚捕獲器において、前記ベース枠の各骨子を枢着した両側の部位と、前記ベース枠と骨子における係止フックの取り付け部分及びこの係止フックを係止する部位に、これらの部位の摩耗を防ぐ保護部材を設けたことを特徴とする折り畳み式の魚捕獲器。
【請求項２】
上記保護部材が、金属もしくは合成樹脂を用いたＣリング又はパイプで形成され、ベース枠又は骨子を形成する金属線材に対して外嵌状に取付けられていることを特徴とする請求項１に記載の折り畳み式の魚捕獲器。
【発明の詳細な説明】
【技術分野】
【０００１】
この発明は、海中や水中に設置し、筒状の魚進入路から網内に魚を餌で誘い込んで捕獲すると共に、捕獲した魚を網内から脱出することができないようにする折り畳み式の魚捕獲器に関する。
【背景技術】
【０００２】
上記のような従来の折り畳み式の魚捕獲器１は、図９乃至図１１に示すように、金属線材を用いて長円形に形成したベース枠２の上面側に、同じく金属線材を用い、前記ベース枠２の略半分のＵ字状に形成された第１乃至第３の骨子３乃至５を、ベース枠２の中棧６に起伏回動可能となるよう枢着して骨組みを組み立て、前記ベース枠２に底網体７を張設すると共に、ベース枠２と一端側に位置する第１骨子３の間及び各第１乃至第３の骨子３乃至５間の周囲に沿って網体８を、各骨子３乃至５を所定角度の配置にした状態でベース枠２の上部を覆うことができるように張設し、この網体８のベース枠２と第１骨子３の間及び、第２と第３の骨子４、５間に筒状の魚進入路９、９を設け、ベース枠２の他端側先端部に、このベース枠２上に倒した第３の骨子５をベース枠２に対して止めるための係止フック１０を取付けた構造になっている。
【０００３】
上記の魚進入路９、９は、網体８の部分で開口し、網体８から内側へ先端が小径となる筒状の網で形成され、この魚進入路９、９の先端側がベース枠２の両側に固定した紐１１で引っ張り状態に保持され、網体８の内部に対して外部からの魚の侵入を許容し、内側からの魚の脱出を阻止する所謂戻りや返しの機能を有している。
【０００４】
上記第１乃至第３の骨子３乃至５のベース枠２に対する枢着は、各骨子３乃至５の両端に屈曲形成した円弧状部１２を中棧６に外嵌して取付けることによって行われ、また、係止フック１０は、金属線材を用い、一端側に屈曲形成した円弧状部１３をベース枠２に回転可能に取付け、他端側に設けた屈曲部１４を第３の骨子５に対して係脱させることができる構造になっている。
【０００５】
この折り畳み式の魚捕獲器１は、使用しないとき、第１乃至第３の骨子３乃至５をその間に網体８が収まるようにベース枠２上の片側に折り畳み、全体を薄い扁平状とすることにより、嵩張らないようになっている。
【０００６】
また、折り畳み式の魚捕獲器１を使用する場合は、第３の骨子５を引き起こすようにすると、網体８を介して第２と第１の骨子３、４が順に引き起され、第３の骨子５をベース枠２上の他方側に重ね、ベース枠２に取付けた係止フック１０を第３の骨子５に係止すれば、図１１のように第３の骨子５がベース枠２に固定されることで網体８はベース枠２の上部を覆うような展張状態となり、魚進入路９、９が紐１１で略水平状態に保持され、網体８の内側に餌を入れた状態でこの魚捕獲器１を海中等に沈める。
【０００７】
上記魚捕獲器１には、魚進入路９、９から網体８の内側に魚が侵入し、捕獲した魚は魚捕獲器１を引き上げた後、係止フック１０を第３の骨子５から離脱させ、網体８を開くことによって取り出すことができる（特許文献１参照）。
【特許文献１】実公昭５７−３２６９５号公報
【発明の開示】
【発明が解決しようとする課題】
【０００８】
ところで、上記のような折り畳み式の魚捕獲器１は、使用の都度、ベース枠２に対して第１乃至第３の骨子３乃至５を回動させると共に、係止フック１０を第３の骨子５に対して係脱させるため、ベース枠２の第１乃至第３の骨子３乃至５と、係止フック１０を枢着した部分及び、第３の骨子５の係止フック１０が係脱する部位に摩耗が発生することになり、この摩耗が魚捕獲器１の寿命を低下させる原因になっている。
【０００９】
また、魚捕獲器１は、海中等に沈めて使用するため、ベース枠２や各骨子３乃至５を形成する金属線材にメッキ等の防錆処理を施してあるが、上記のような摩耗によってすぐに剥がれることになり、この防錆処理の剥がれた部分は電解作用によって錆びることにより、摩耗の発生を増大させると同時に腐食することで、魚捕獲器の耐久性を一段と低下させるという問題がある。
【００１０】
そこで、この発明の課題は、魚捕獲器の骨組みにおける摩耗の発生部位に摩耗を防ぐ保護部材を部分的に取付け、耐久性の大幅な向上を図ることができる折り畳み式の魚捕獲器を提供することにある。
【課題を解決するための手段】
【００１１】
上記のような課題を解決するため、この発明は、金属線材を用いたベース枠の上面側に、同じく金属線材を用いて略Ｕ字状に形成された複数の骨子を起伏回動可能となるよう枢着して骨組みを形成し、前記ベース枠に底網体を張設すると共に、ベース枠と一端側に位置する骨子の間及び各骨子間の周囲に沿って網体を、各骨子を所定角度の配置にした状態でベース枠の上部を覆うことができるように張設し、この網体の適所に筒状の魚進入路を設け、前記ベース枠と他端側に位置する骨子の一方に、ベース枠上に倒した骨子を止めるための係止フックを取付けた折り畳み式の魚捕獲器において、前記ベース枠の各骨子を枢着した両側の部位と、前記ベース枠と骨子における係止フックの取り付け部分及びこの係止フックを係止する部位に、これらの部位の摩耗を防ぐ保護部材を設けた構成を採用したものである。
【００１２】
上記保護部材が、金属もしくは合成樹脂を用いたＣリング又はパイプで形成され、ベース枠又は骨子を形成する金属線材に対して外嵌状に取付けられている構造とすることができる。
【００１３】
ここで、ベース枠は長円形に形成され、骨子は第１乃至第３の骨子からなり、各骨子のベース枠に対する枢着は、各骨子の両端に屈曲形成した円弧状部を中棧に外嵌して取付けることによって行われ、また、係止フックは、金属線材を用い、一端側に屈曲形成した円弧状部をベース枠に回転可能に取付け、他端側に設けた屈曲部を第３の骨子に対して係脱させることができる構造になっている。
【００１４】
また、上記した魚進入路は、網体の部分で開口し、網体から内側へ先端が小径となる筒状の網で形成され、この魚進入路の先端側がベース枠の両側に固定した紐で引っ張り状態に保持され、外部からの魚の侵入を許容し、内側からの魚の脱出を阻止する所謂戻りや返しの機能を有している。
【発明の効果】
【００１５】
この発明によると、魚捕獲器の骨組みにおける摩耗の発生部位に摩耗を防ぐ保護部材を設けたので、ベース枠と骨子の摩耗が発生する部位を摩耗から保護することで魚捕獲器の寿命を向上させることができる。
【００１６】
また、骨組みにおける摩耗の発生部位を保護部材で覆うことにより、ベース枠や各骨子を形成する金属線材に施したメッキ等の防錆処理を損傷させることがなく、防錆処理を維持することで錆びや腐食による耐久性の低下を防ぎ、魚捕獲器の耐久性を大幅に向上させることができる。
【発明を実施するための最良の形態】
【００１７】
以下、この発明の実施の形態を図示例に基づいて説明する。
【００１８】
図１乃至図７のように、第１の実施の形態の折り畳み式の魚捕獲器２１は、亜鉛等のメッキや樹脂皮膜によって防錆処理を施した金属線材を用いて長円形に形成したベース枠２２の上面側に、同じく防錆処理を施した金属線材を用い、前記ベース枠２２の略半分のＵ字状に形成された第１乃至第３の骨子２３乃至２５を、ベース枠２２の中棧２６に起伏回動可能となるよう枢着して骨組みを組み立て、前記ベース枠２２に底網体２７を張設すると共に、ベース枠２２と一端側に位置する第１骨子２３の間及び各第１乃至第３の骨子２３乃至２５間の周囲に沿って網体２８を、各骨子２３乃至２５を所定角度の配置にした状態でベース枠２２の上部を覆うことができるように張設し、この網体２８のベース枠２２と第１骨子２３の間と、第２と第３の骨子２４、２５間に筒状の魚進入路２９、２９を内側に突出するよう設け、ベース枠２２他端側に先端部に、ベース枠２２上に倒した第３の骨子２５をベース枠２２に対して止めるための係止フック３０を取付けた構造になっている。
【００１９】
上記の魚進入路２９、２９は、網体２８の部分で開口し、網体２８から内側へ先端が小径となる筒状の網で形成され、この魚進入路２９、２９の先端側がベース枠２２の両側に固定した紐３１で引っ張り状態に保持され、網体２８の内部に対して外部からの魚の侵入を許容し、内側からの魚の脱出を阻止する所謂戻りや返しの機能を有している。
【００２０】
上記第１乃至第３の骨子２３乃至２５のベース枠２２に対する枢着は、各骨子２３乃至２５の両端に屈曲形成した円弧状部３２を中棧２６に外嵌して取付けることによって行われ、また、係止フック３０は、ステンレスのような金属線材を用い、一端側に屈曲形成した円弧状部３３をベース枠２２に回転可能に取付け、他端側に設けた屈曲部３４を第３の骨子２５に対して係脱させることができる構造になっている。
【００２１】
上記のような折り畳み式の魚捕獲器２１において、ベース枠２２の各骨子２３乃至２５を枢着した中棧２６の両側の部位と、前記ベース枠２２の係止フック３０を取付けた部分及び第３の骨子２５の係止フック３０を係止する部位の合計四箇所の位置に、これらの部位の摩耗を防ぐと共に、耐食性を維持するための保護部材３５が取付けられている。
【００２２】
この保護部材３５は、図４の（ｂ）と(ｃ)に示すように、ステンレス、真鍮等の金属もしくはビニール等の合成樹脂を用いたＣリング又はパイプで形成され、Ｃリングの場合は骨組みの組み立て後に後付けで、また、パイプの場合は骨組みの組み立て前に先付けによって取付け、ベース枠２２又は骨子２５を形成する金属線材に対して外嵌状となるようカシメ等によって固定されている。
【００２３】
上記のような保護部材３５の取付けによって、ベース枠２２に対する第１乃至第３の骨子２３乃至２５の両端に屈曲形成した円弧状部３２と係止フック３０の円弧状部３３は保護部材３５に外嵌し、かつ、係止フック３０の第３の骨子２５に対する係脱は保護部材３５を介して行われるので、ベース枠２２及び第３の骨子２５に対して、第１乃至第３の骨子２３乃至２５と係止フック３０は直接的な接触部分が生じないことになり、これにより、ベース枠２２及び第３の骨子２５の摩耗発生と防錆処理の損傷発生を防ぐことになる。
【００２４】
なお、折り畳み式の魚捕獲器が大型の場合、係止フック３０はベース枠２２の幅方向の両側に二個が取り付けられた構造となり、従って、保護部材３５は、ベース枠２２において、両係止フック３０の取付け部分と、第３の骨子２５の両係止フック３０が係脱する二箇所の位置に取付けることになり、保護部材３５は合計六箇所に取付けられることになる。
【００２５】
また、図８はベース枠に対する骨子の取付け構造の異なる第２の実施の形態の折り畳み式の魚捕獲器２１を示している。なお、上述した第１の実施の形態と同一分部には同一符号を付して説明に代える。
【００２６】
この第２の実施の形態の魚捕獲器２１は、ベース枠２２の上面で両側位置に略半円形の取付け軸３６を立設し、第１乃至第４の骨子３７乃至４０の両端に屈曲形成した円弧状部３２を取付け軸３６に外嵌して取付け、ベース枠２２と一端側に位置する第１骨子３７の間及び各第１乃至第４の骨子３７乃至４０間の周囲に沿って網体２８を、各骨子３７乃至４０を所定角度の配置にした状態でベース枠２２の上部を覆うことができるように張設し、この網体２８のベース枠２２と第１骨子３７の間と、第３と第４の骨子３９、４０間に筒状の魚進入路２９を内側に突出するよう設け、ベース枠２２の他端側に、ベース枠２２上に倒した第４の骨子４０をベース枠２２に対して止めるための係止フック３０を取付けた構造になっている。
【００２７】
この折り畳み式の魚捕獲器２１において、上記両側位置の取付け軸３６とベース枠２２の係止フック３０を取付けた部分及び第４の骨子４０の係止フック３０を係止する部位の合計四箇所の位置に、これらの部位の摩耗を防ぐと共に、耐食性を維持する保護部材３５が施されている。
【００２８】
図８（ｃ）は、取付け軸３６に対する保護部材３５の取付け構造を示し、保護部材３５は、略半円形となる取付け軸３６の形状に合わせて弧状に成形したＣリングを、取付け軸３６に外嵌してカシメ等の手段で固定するものである。
【００２９】
この発明の魚捕獲器は、上記のような構成であり、第１の実施の形態の魚捕獲器２１の場合、使用しないとき、第１乃至第３の骨子２３乃至２５をその間に網体２８が収まるようにベース枠２２上の片側に折り畳み、全体を薄い扁平状とすることにより、嵩張らないようになっている。
【００３０】
また、折り畳み式の魚捕獲器２１を使用する場合は、第３の骨子２５を引き起こすようにすると、網体２８を介して第２と第１の骨子２３、２４が順に引き起され、第３の骨子２５をベース枠２２上の他方側に重ね、ベース枠２２に取付けた係止フック３０を第３の骨子２５に係止すれば、図１と図３のように第３の骨子２５がベース枠２２に固定されることで網体２８はベース枠２２の上部を覆うような展張状態となり、魚進入路２９、２９が紐３１で略水平状態に保持され、網体２８の内側に餌を入れた状態でこの魚捕獲器２１を海中等に沈める。
【００３１】
上記魚捕獲器２１には、魚進入路２９、２９から網体２８の内側に魚が侵入し、捕獲した魚は魚捕獲器２１を引き上げた後、係止フック３０を第３の骨子２５から離脱させて網体２８を開くことによって取り出すことができる。
【００３２】
この発明の魚捕獲器２１は、骨組みにおける摩耗の発生部位に摩耗を防いで耐食性を維持するための保護部材３５を取付けてあるので、ベース枠２２と骨子２５の摩耗が発生する部位を保護することができ、しかも、ベース枠２２や骨子２５を形成する金属線材に施したメッキ等の防錆処理を損傷させることがなくなり、防錆処理を維持することで錆びや電解腐食による耐久性の低下を防ぎ、魚捕獲器２１の寿命を大幅に向上させることができることになる。
【図面の簡単な説明】
【００３３】
【図１】この発明に係る魚捕獲器の第１の実施の形態を示す使用状態の斜視図
【図２】同上の要部を切り欠いた平面図
【図３】同上の要部を切り欠いた側面図
【図４】（ａ）は図２におけるベース枠への骨子の枢着部分を拡大した平面図、（ｂ）は保護部材であるＣリングの斜視図、（ｃ）は保護部材であるパイプの斜視図
【図５】図２の矢印Ｖ−Ｖに沿う拡大断面図
【図６】図４（ａ）の矢印VI−VIに沿う拡大断面図
【図７】図６の断面図
【図８】（ａ）はこの発明に係る魚捕獲器の第２の実施の形態を示す使用状態の斜視図、（ｂ）は（ａ）の矢印VIII−VIIIに沿う拡大断面図、（ｃ）はこの第２の実施の形態に使用する保護部材の斜視図
【図９】従来の魚捕獲器を示す使用状態の斜視図
【図１０】同上の要部を切り欠いた平面図
【図１１】同上の要部を切り欠いた側面図
【符号の説明】
【００３４】
２１      折り畳み式の魚捕獲器
２２      ベース枠
２３      第１の骨子
２４      第２の骨子
２５      第３の骨子
２６      中棧
２７      底網体
２８      網体
２９      魚進入路
３０      係止フック
３１      紐
３２      円弧状部
３３      円弧状部
３４      屈曲部
３５      保護部材
３６      取付け軸
３７      第１の骨子
３８      第２の骨子
３９      第３の骨子
４０      第４の骨子
【図１】
2005323564.tif 000003
【図２】
2005323564.tif 000004
【図３】
2005323564.tif 000005
【図４】
2005323564.tif 000006
【図５】
2005323564.tif 000007
【図６】
2005323564.tif 000008
【図７】
2005323564.tif 000009
【図８】
2005323564.tif 000010
【図９】
2005323564.tif 000011
【図１０】
2005323564.tif 000012
【図１１】
2005323564.tif 000013